(57)【要約】【課題】短時間でスラブ設計を行うと共に得られたスラブ設計の信頼性を短時間で確認することが可能なスラブ設計方法を提供する。【解決手段】データ処理装置１３の表示画面２１に注文表示部２２を設けてキャストで生産する注文別の注文データ１１を示す注文図形２３を表示すると共に、表示画面２１にスラブ表示部２４を設けてそのキャストで製造する順番にスラブデータ１２を示すスラブ図形２６を表示し、注文表示部２２に表示されている１つの注文図形２３ａをマウスでクリックし、スラブ表示部２４までドラッグしドロップしてこの注文図形２３ａのスラブデータ１２をスラブ図形２６ａとして新たに表示する。【選択図】　　　　図１
2004009120.tif 000002
【特許請求の範囲】
【請求項１】
鋳造工程の製造ロットを示すキャストに各注文品の素材となるスラブをデータ処理装置によりそれぞれ割り当てるスラブ設計方法において、
前記データ処理装置の表示画面に、各注文別に注文量を含む注文明細を集約した注文データを有する注文図形を表示する注文表示部と、前記キャストを表示するロット枠図形内に製造する順番に前記スラブのスラブデータを有するスラブ図形を表示するスラブ表示部を設けて、
前記注文表示部に表示されている前記注文図形から１つの注文図形をマウスでクリックし、前記スラブ表示部までドラッグして前記ロット枠図形内の位置にドロップすることにより、前記マウスでクリックした注文図形が有する注文データからスラブ重量を含むスラブデータを作成し、該スラブデータを前記マウスでドロップした位置にスラブ図形として表示することを特徴とするスラブ設計方法。
【請求項２】
請求項１記載のスラブ設計方法において、前記注文表示部には、更に、前記マウスでクリックした注文図形が有する注文量から前記スラブ重量を差し引いた残りの注文量を表示することを特徴とするスラブ設計方法。
【請求項３】
請求項１及び２のいずれか１項に記載のスラブ設計方法において、前記マウスでクリックした注文図形を前記ロット枠図形内の位置にドロップした際に、この位置に対応する前記ロット枠図形が有する条件と前記マウスでクリックした注文図形の有する注文データとを比較して、該注文データの制約条件がこの位置のロット枠図形が有する条件に適合しない場合は、前記マウスでクリックした注文図形がこの位置にはドロップ不可であると判断して、ドロップ不可情報を出力することを特徴とするスラブ設計方法。
【発明の詳細な説明】
【０００１】
【発明の属する技術分野】
本発明は、鋳造工程の製造ロットを示すキャストに注文品の注文データに応じたスラブを製造順に割り当てていくスラブ設計方法に関する。
【０００２】
【従来の技術】
従来、鉄鋼業における生産管理業務では、受注品の注文データの納期日を基にして船、車両での出荷日を決め、この決めた注文毎の出荷日から逆算して転炉等の精錬工程で高炉等で製造した溶銑を精錬する精錬日（出鋼日）を決めていた。精錬日が決まると、各受注品に対しては、各受注品の品種（例えば、ホットコイル、厚板、分譲スラブ等）、材料規格（例えば、鋼材性質、成分組成等）、受注量等の各種製造条件を考慮して、素材となるスラブ（鋳片）を割り当て、１以上のスラブからなるチャージ（精錬工程の製造ロット）を設計していた。このチャージが設計されると、各チャージを１以上組み合わせて鋳造工程の製造ロットを示すキャストを設計していた。
この際、納期を重視してスラブ設計を行うと、製鋼工程の後工程である圧延工程の圧延ロットが小さくなる。また、圧延工程の圧延制約を満足できない場合が多くなって、製造コストが上昇する。一方、圧延工程の圧延ロットを大きくして製造コスト低減を指向したスラブ設計を行なうと、納期を満足できなかったり、在庫量が増加するという問題が生じる。このような問題が生じないようにスラブの設計を行なうためには熟練したオペレータが必要となっていた。
【０００３】
【発明が解決しようとする課題】
このように、スラブ設計は、製造コストと納期のバランスを考慮しながら、しかも、適正在庫量の維持、設備高稼働率の維持等の生産管理上の各種条件も考慮して行わねばならず、経験に基づいて試行錯誤で行われているのが実情であった。このため、スラブ設計が完了するまでには、長時間を要してしまうという問題があった。更に、決定されたスラブ設計が最適な設計であることの確認作業が必要となるが、確認作業にも長時間を要するため、十分な確認が行われないままに実行に移される、すなわち生産が開始されるという問題が存在していた。また、熟練したオペレータの養成には、長期間が必要になるという問題があった。
本発明はかかる事情に鑑みてなされたもので、短時間でスラブ設計を行うと共に得られたスラブ設計の信頼性を短時間で確認することが可能なスラブ設計方法を提供することを目的とする。
【０００４】
【課題を解決するための手段】
前記目的に沿う本発明に係るスラブ設計方法は、鋳造工程の製造ロットを示すキャストに各注文品の素材となるスラブをデータ処理装置によりそれぞれ割り当てるスラブ設計方法において、前記データ処理装置の表示画面に、各注文別に注文量を含む注文明細を集約した注文データを有する注文図形を表示する注文表示部と、前記キャストを表示するロット枠図形内に製造する順番に前記スラブのスラブデータを有するスラブ図形を表示するスラブ表示部を設けて、前記注文表示部に表示されている前記注文図形から１つの注文図形をマウスでクリックし、前記スラブ表示部までドラッグして前記ロット枠図形内の位置にドロップすることにより、前記マウスでクリックした注文図形が有する注文データからスラブ重量を含むスラブデータを作成し、該スラブデータを前記マウスでドロップした位置にスラブ図形として表示する。
【０００５】
注文表示部に表示された注文図形をマウスでクリックすることにより選択し、スラブ表示部までドラッグしてロット枠図形内にドロップするという簡単な操作を繰り返すことによって、例えば、鋼種を基準として、注文データから鋳造工程の製造ロットを示すキャストに対してスラブを順次割り当てることができる。その結果、キャストに注文品の注文データに応じたスラブを製造順に割り当てていくスラブ設計を容易に行うことができる。
スラブ設計では、最大スラブ厚み、スラブ幅、スラブ長さ、スラブ重量等の形状情報、製鋼工程における精錬方法や鋳造工程における鋳造方法、圧延工程の圧下量（鋼板の厚み、幅）、更にスラブから製造されるホットコイル、厚板等の品種等が個々に決定されていく。このため、注文データをスラブデータに変換する際には、例えば、品種（ホットコイル、厚板、分譲スラブ等）と鋼種をキー項目として、最大スラブ厚み、スラブ幅、スラブ長さ、スラブ重量等の製造条件データを考慮して行うことができる。なお、キー項目として、品種と鋼種の代りに、鋼種とスラブ幅、スラブ幅、品種等を選定することができる。
【０００６】
本発明のスラブ設計方法において、前記注文表示部には、更に、前記マウスでクリックした注文図形が有する注文量から前記スラブ重量を差し引いた残りの注文量を表示することが好ましい。
これによって、スラブをキャストに割り当てる度に、このスラブのスラブ重量分だけが注文データの注文量から差し引かれる、このため、注文量は常に書き換えられていくので、常に最新の残注文量を把握することができる。
【０００７】
本発明のスラブ設計方法において、前記マウスでクリックした注文図形を前記ロット枠図形内の位置にドロップした際に、この位置に対応する前記ロット枠図形が有する条件と前記マウスでクリックした注文図形の有する注文データとを比較して、該注文データの制約条件がこの位置のロット枠図形が有する条件に適合しない場合は、前記マウスでクリックした注文図形がこの位置にはドロップ不可であると判断して、ドロップ不可情報を出力することができる。
【０００８】
スラブは複数の注文品を集めて構成する必要があるので、注文品が特定されると製造条件データとしてスラブの重量が規定される。このため、スラブ設計を行う際には、スラブ幅、スラブの厚み、スラブの長さの間には制約が生じる。この制約条件から決まるスラブ長さと、ロット枠図形内の注文図形がドロップされた位置にこれから割り当てることが可能なスラブ長さとを比較して、制約条件から決まるスラブ長さが確保できないときには、スラブを割り当てることができない。従って、この場合は、ドロップ不可であると判断して（スラブ設計できないと判断して）、ドロップ不可情報を出力する。
また、注文データから、例えば、炭素、マンガン、合金成分等の成分組成を許容範囲内に調整する必要が生じる場合がある。一般に、製鋼工程の製造ロットを示す各チャージの継ぎ目に対応するキャスト位置では、成分組成の変動が大きくなる。従って、注文品において成分組成の変動の許容範囲が狭いことが条件となる場合、チャージの継ぎ目に対応するロット枠図形位置の前後には、この注文品の素材となるスラブを割り当てることができない。この場合は、ドロップ不可であると判断して（スラブ設計できないと判断して）、ドロップ不可情報を出力する。
以上のように、スラブ設計を行った際に、設計の適否を瞬時に判定することができるので、適正でない設計操作に対して即座に対応することができる。
【０００９】
【発明の実施の形態】
続いて、添付した図面を参照しつつ、本発明を具体化した実施の形態につき説明し、本発明の理解に供する。
ここに、図１は本発明の一実施の形態に係るスラブ設計方法に適用されるスラブ設計システムの構成図、図２は同スラブ設計システムで使用するデータ処理装置の表示画面の説明図である。
本発明の一実施の形態に係るスラブ設計方法で使用するスラブ設計システム１０は、図１に示すように、複数の項目からなる注文データ１１を複数保存し、これらの注文データ１１からスラブ重量を含むスラブ明細を集約したスラブデータ１２をそれぞれ作成して保存するデータ処理装置１３と、データ処理装置１３に設けられ各注文データ１１、及び各スラブデータ１２をそれぞれ図形の形で表示する表示機器１４と、データ処理装置１３を操作する操作機器１５とを備えている。以下、これらについて詳細に説明する。
【００１０】
データ処理装置１３としては、例えばハードディスク等の補助記憶部１６、１７を備えたパーソナルコンピュータ等の電子計算機を使用することができる。表示機器１４としては、例えば、ＣＲＴディスプレイ、液晶ディスプレイ、プラズマ・ディスプレイなどの電子計算機用の各種表示機器が使用できる。更に、操作機器１５にはキーボード、マウスが含まれる。
データ処理装置１３には、注文データ１１と製造条件データ１８に基づいてスラブデータ１２を作成するデータ作成機能、表示機器１４に各種表示を実行させる表示機能、データ処理装置１３に対して操作機器１５からどのような操作が行われたかを監視する操作監視機能等の各種機能が設けられている。そして、データ処理装置１３には、これらの機能をそれぞれ発現させる各プログラムが予め搭載されている。
【００１１】
データ作成機能は、注文データ１１と製造条件データ１８に基づいてスラブデータ１２を作成して保存する一連の動作を行うデータ作成保存手段１９を、データ処理装置１３内に構成するものである。これによって、補助記憶部１６に保存されている注文データ１１に対して、予め補助記憶部１７に保存されている複数の製造条件データ１８から対応する製造条件データ１８を読み込んで、製造条件データ１８に基づいてスラブデータ１２を作成し補助記憶部１６に保存するという一連の動作が行われる。
【００１２】
表示機能は、表示機器１４に各種表示を実行させる表示手段２０を、データ処理装置１３内に構成するものである。これによって、図２に示すように、表示機器１４の表示画面２１に注文表示部２２を形成して、補助記憶部１６に保存されている注文データ１１を注文図形２３として表示する。また、表示画面２１にスラブ表示部２４を形成してキャストを示すロット枠図形２５を表示すると共に、このロット枠図形２５内に補助記憶部１６に保存されているスラブデータ１２を製造する順番にスラブ図形２６として表示する。
また、操作監視機能は、操作機器１５の操作内容に応じてデータ処理装置１３内に構成されているデータ作成保存手段１９と表示手段２０を連携して動作させる操作監視手段２７を、データ処理装置１３内に構成するものである。これによって、操作機器１５の操作内容に基づいて、表示画面２１の注文表示部２２内で１つの注文図形２３ａが選択されたこと、次いで、選択された注文図形２３ａがスラブ表示部２４内のロット枠図形２５上にドラッグされてドロップされたことを検知して、データ作成保存手段１９と表示手段２０を動作させることができる。
【００１３】
このような構成とすることにより、スラブデータ１２が既に１つ以上作成されて補助記憶部１６に保存されている場合は、表示機器１４の表示画面２１のスラブ表示部２４にロット枠図形２５を表示させて、それらのスラブデータ１２をそのロット枠図形２５内にそれぞれスラブ図形２６として表示させることができる。また、操作機器１５を操作して、表示機器１４の表示画面２１の注文表示部２２に表示された１つの注文図形２３ａを選択（マウスでクリック）して、表示画面２１のスラブ表示部２４内のロット枠図形２５上の所定の位置に移動して停止（ドラッグしてドロップ）すると、そのことが操作監視手段２７で確認されて、移動した注文図形２３ａに対応する注文データ１１が、データ作成保存手段１９に入力され、スラブデータ１２が自動的に作成されて補助記憶部１６に保存されると共に、表示機器１４の表示画面２１のスラブ表示部２４のロット枠図形２５内にスラグ図形２６ａとして表示させることができる。
【００１４】
続いて、本発明の一実施の形態に係るスラブ設計方法について詳細に説明する。先ず、操作機器１５を使用して、各注文品の注文データ１１をデータ処理装置１３に入力し、補助記憶部１６に保存する。注文データ１１は各注文別に注文量を含む注文明細を集約したもので、例えば、注文番号、注文量（例えば、注文重量）、品種（例えば、ホットコイル、厚板、分譲スラブ等）、鋼種、材料規格、出荷日、出鋼希望日、出鋼期限、圧延期限等で構成されている。また、操作機器１５を使用して、製造条件データ１８を入力し、補助記憶部１７に保存する。製造条件データは、例えば、スラブの厚み、幅、長さ等の形状条件、炭素、マンガン、合金成分等の成分組成条件、製鋼工程での精錬方法、鋳造工程での鋳造方法、圧延工程での圧下量（鋼板の厚み、幅）、品種等の製造における標準値から構成されている。
【００１５】
次に、操作機器１５を用いて、データ処理装置１３内にデータ作成保存手段１９を構成する。続いて、操作機器１５を用いて表示手段２０を動作させて、図２に示すように、表示画面２１に注文表示部２２とスラブ表示部２４を形成する。スラブ表示部２４には、鋳造工程の製造ロットを示すキャストを図形化したロット枠図形２５が表示される。なお、図２では、２つのロット枠図形２５が表示されている。これは、１つのキャストに２つのストランドを持つ鋳造設備を用いて同時に鋳造する場合を示しているためである。補助記憶部１６内に注文データ１１が存在すると、その注文データ１１が注文表示部２２内に注文図形２３として表示される。また、対象として考えているキャストに対して既にスラブデータ１２が作成されて補助記憶部１６内に保存されている場合は、そのキャストを示すロット枠図形２５内にスラブデータ１２に基づいてスラブ図形２６が表示される。図２において、注文表示部２２内に表示された複数の注文図形２３の中から１つの注文図形２３ａを選択して、選択した注文図形２３ａに対応したスラブデータ１２を作成する際の操作は、マウスポインタを注文図形２３ａに合わせ、マウスボタンを押したままマウスを移動させることで、注文図形２３ａをスラブ表示部２４のロット枠図形２５内のスラブを割り付けたい位置まで移動させ、そこでマウスボタンを離す操作、すなわち、ドラッグ・アンド・ドロップ操作により行う。
【００１６】
操作監視手段２７は、注文表示部２２内に表示された注文図形２３の中から１つの注文図形２３ａが選択されて、この注文図形２３ａがスラブ表示部２４内に移動されたことを確認して、この選択された注文図形２３ａに対応した注文データ１１をデータ作成保存手段１９に入力する。この注文データ１１がデータ作成保存手段１９に入力されると、データ作成保存手段１９では、入力されたこの注文データ１１から品種、鋼種等の検索項目に基づいて製造条件データ１８を読み込み、スラブの厚み、幅、長さ等の形状条件、炭素、マンガン、合金成分等の成分組成条件、製鋼工程での精錬方法、鋳造工程での鋳造方法、圧延工程での圧下量（厚み、幅）、対象品種等を計算、決定して、選択された注文図形２３ａに対応した製造可能なスラブのスラブ重量を含むスラブ明細を集約したスラブデータを形成する。そして、その結果は補助記憶部１６内にスラブデータ１２として保存される。また、注文図形２３ａが有する注文量が、作成されたスラブの重量分だけ減少するので、従来の注文量からこのスラブの重量分を差し引いた残りの注文量を改めて注文量として保存する。そして、この保存された注文量を有する新たな注文図形をマウスでクリックした注文図形２３ａの代りに表示する。
【００１７】
注文図形２３ａの移動先が、既に存在しているスラブ図形２６の場合は、例えばその位置に注文図形２３ａに対応した新たなスラブ図形２６ａを割り込ませて配置する。また、スラブ図形２６が配置されていない場合は、ロット枠図形２５内のドロップされた位置にスラブ図形２６ａを配置する。
ここで、スラブは複数の注文品を集めて構成されているため、例えば、スラブを割り当てる条件としてスラブの重量が規定される。このため、スラブ幅、スラブの厚み、スラブの長さの間には注文データ１１の制約条件が生じる。そして、例えば、この制約条件から決まるスラブ長さと、ロット枠図形２５内の注文図形２３ａがドロップされた位置にこれから割り当てることが可能なスラブ長さとを比較して、制約条件から決まるスラブ長さが確保できないときには、スラブを割り当てることができないことになる。従って、この場合は、ドロップ不可情報が表示画面２１内に表示される。
【００１８】
また、選択された注文データ２３ａから、炭素、マンガン、合金成分等の成分組成を許容範囲内に調整する必要が生じる場合がある。一般に、製鋼工程の製造ロットを示す各チャージの継ぎ目に対応するキャスト位置では、成分組成の変動が大きくなることが知られている。このことは、キャストを示すロット枠図形２５では、各チャージの継ぎ目に対応するロット枠図形２５の位置の前後で成分組成の変動が大きく変化するという製造条件として関連付けられている。このため、注文品において成分組成の変動の許容範囲が狭いことが制約条件となる場合、この制約条件と、成分組成の変動に関する製造条件とを比較して、この制約条件が成分組成の変動に関する製造条件に適合しない場合、例えば、チャージの継ぎ目に対応するロット枠図形２５の位置の前後には、この注文品の素材となるスラブを割り当てることができない。従って、この場合にも、ドロップ不可情報が表示画面２１内に表示される。
以上のように、制約条件が適合しない場合は、選択した注文図形に対応する注文データに対してはスラブデータの作成は行わず、この注文データの内容変更も行わない。
【００１９】
以上、本発明は前記した実施の形態を説明したが、本発明は、この実施の形態に限定されるものではなく、例えば、新たに作成するスラブ図形をどこに配置するかは予め決めておくこともできるし、移動先の位置から近い方の端部（先頭又は後尾）に配置するようにしてもよい。更に、発明の要旨を変更しない範囲での変更は可能であり、前記したそれぞれの実施の形態や変形例の一部又は全部を組み合わせて本発明のスラブ設計方法を構成する場合にも本発明は適用される。
【００２０】
【発明の効果】
請求項１〜３記載のスラブ設計方法においては、データ処理装置の表示画面に、各注文別に注文量を含む注文明細を集約した注文データを有する注文図形を表示する注文表示部と、キャストを表示するロット枠図形内に製造する順番にスラブのスラブデータを有するスラブ図形を表示するスラブ表示部を設けて、注文表示部に表示されている注文図形から１つの注文図形をマウスでクリックし、スラブ表示部までドラッグしてロット枠図形内の位置にドロップすることにより、マウスでクリックした注文図形が有する注文データからスラブ重量を含むスラブデータを作成し、スラブデータをマウスでドロップした位置にスラブ図形として表示するので、簡単な操作で注文データからスラブ設計を迅速に行うことができ、短時間で最適なスラブ設計を決定することが可能となる。その結果、熟練したオペレータを必要とせずに、スラブ設計を決定することが可能となる。更に、複数の項目からなる注文データは注文図形として、図形の形で一括して取り扱うことができるため、入力ミスや作業ミスの防止が可能となる。
【００２１】
特に、請求項２記載のスラブ設計方法においては、注文表示部には、更に、マウスでクリックした注文図形が有する注文量からスラブ重量を差し引いた残りの注文量を表示するので、常に最新の残注文量を把握することができ、入力ミスや作業ミスの防止が可能となる。
【００２２】
請求項３記載のスラブ設計方法においては、マウスでクリックした注文図形をロット枠図形内の位置にドロップした際に、この位置に対応するロット枠図形が有する条件とマウスでクリックした注文図形の有する注文データとを比較して、注文データの制約条件がこの位置のロット枠図形が有する条件に適合しない場合は、マウスでクリックした注文図形がこの位置にはドロップ不可であると判断して、ドロップ不可情報を出力するので、スラブ設計の適否を瞬時に判定することができ、スラブ設計の信頼性を向上させることが可能となる。また、適正でない設計操作に対して即座に対応できるので、異なる製造条件データ毎に個別にスラブ設計を迅速に行うことができ、各製造条件データに基づいてキャスト設計を容易に行うことが可能となる。
【図面の簡単な説明】
【図１】本発明の一実施の形態に係るスラブ設計方法に適用されるスラブ設計システムの構成図である。
【図２】同スラブ設計システムで使用するデータ処理装置の表示画面の説明図である。
【符号の説明】
１０：スラブ設計システム、１１：注文データ、１２：スラブデータ、１３：データ処理装置、１４：表示機器、１５：操作機器、１６、１７：補助記憶部、１８：製造条件データ、１９：データ作成保存手段、２０：表示手段、２１：表示画面、２２：注文表示部、２３、２３ａ：注文図形、２４：スラブ表示部、２５：ロット枠図形、２６、２６ａ：スラブ図形、２７：操作監視手段
【図１】
2004009120.tif 000003
【図２】
2004009120.tif 000004